(57)【要約】      （修正有）【課題】フィルタアセンブリとヒーターとを隠すのに使用される装飾的構造を含む装飾的水槽設備の提供。【解決手段】装飾的構造物１２は、入口３８と出口４０とを含む。入口３８と出口４０とが水槽内の水槽水の対角線循環を形成するように相対的に位置づけられ、水槽内の淀んだ領域を減少させる。ヒーター１６は、更に、加熱され、濾過された水が装飾的水槽設備１０によって分散されるように、フィルタアセンブリ１４に関して配置される。【選択図】    図２
2006000114.tif 000002
【特許請求の範囲】
【請求項１】
水槽に使用される水槽設備であって、
ａ）前側部と、キャビティを画定する後側部とを有し、構造物入口と、構造物が水槽内に配置されるときに、水槽の水位の場所でまたはそれより上の場所で水を供給するように配置される構造物出口とを含む装飾的構造物、
を含み、
ｂ）ポンプの動作中に、他のいずれの水流方向にも対向しない方向でキャビティ内に水が流れるように、構造物出口が構造物入口からずれ、それによって、水槽内に対角線循環を形成する設備。
【請求項２】
装飾的構造物の構造物出口に位置する余水路を更に含む、請求項１記載の設備。
【請求項３】
装飾的構造物のキャビティ内に配置可能なフィルタアセンブリを更に含み、フィルタアセンブリは水中ポンプを含む、請求項１記載の設備。
【請求項４】
装飾的構造物の構造物出口に位置する余水路を更に含み、余水路はフィルタアセンブリによって画定されている、請求項３記載の設備。
【請求項５】
フィルタアセンブリが、フィルタアセンブリのフィルタハウジング内に配置可能であり取り替え可能なフィルタカートリッジを更に含み、取り替え可能なフィルタカートリッジが、装飾的構造物に形成された頂部開口からアクセスすることができる、請求項３記載の設備。
【請求項６】
フィルタアセンブリが取り外し可能な内蔵型フィルタユニットである、請求項２記載の設備。
【請求項７】
装飾的構造物のキャビティ内に配置されたヒーターを更に含む、請求項１記載の設備。
【請求項８】
装飾的構造物が前壁および対向する側壁を含み、前壁が装飾的構造物の前側部を画定し、入口構造物が装飾的構造物の対向する側壁の一方に形成される、請求項１記載の設備。
【請求項９】
対向する側壁の一方に形成された入口構造物が唯一の入口構造物である、請求項８記載の設備。
【請求項１０】
対向する側壁の間に延びるバックパネルを更に含む、請求項８記載の設備。
【請求項１１】
水槽に使用される装飾的設備であって、
ａ）キャビティを画定する装飾的構造物と、
ｂ）装飾的構造物のキャビティで配置され、フィルタハウジングおよびポンプを含むフィルタアセンブリと、
ｃ）装飾的構造物を通って流れる水が濾過の前に加熱されるように、装飾的構造物のキャビティ内でフィルタアセンブリに近接して配置されたヒーターと、
を含み、
ｄ）フィルタアセンブリのフィルタハウジングは、水槽の水位の場所でまたはそれより上の場所で、加熱され濾過された水を供給するように配置される余水路を含む装飾的設備。
【請求項１２】
ヒーターが、フィルタアセンブリから約５．０インチを超えずに配置される、請求項１１記載の設備。
【請求項１３】
余水路から供給された加熱され濾過された水が、水槽内に含まれる水にリップル効果を形成する、請求項１１記載の設備。
【請求項１４】
フィルタアセンブリが装飾的構造物に装着される、請求項１１記載の設備。
【請求項１５】
フィルタハウジングの余水路が装飾的構造物の頂部縁に装着する、請求項１４記載の設備。
【請求項１６】
ヒーターが装飾的構造物に装着される、請求項１４記載の設備。
【請求項１７】
エアレーション装置の動作中に装飾的構造物の外部表面に沿って気泡が起こるように配置されるエアレーション装置を更に含む、請求項１１記載の設備。
【請求項１８】
水槽設備を組み立てる方法であって、
ａ）前側部と、キャビティを画定する後側部とを有して、構造物入口と構造物出口とを含む装飾的構造物を提供するステップと、
ｂ）装飾的構造物のキャビティ内に、フィルタハウジングと水中ポンプとを含む内蔵型フィルタアセンブリを配置するステップと、
ｃ）装飾的構造物の構造物出口が水槽の水位にまたはそれより上にあるように、装飾的構造物を水槽内に配置するステップと、
を含む、方法。
【請求項１９】
構造物入口と構造物出口との間に、キャビティ内に形成された水流経路内にヒーターを配置するステップを更に含む、請求項１８記載の方法。
【請求項２０】
内蔵型フィルタアセンブリを配置するステップは、水槽内に含まれた水の中に手を伸ばさずに、ユーザが、フィルタハウジング内に配置可能であり取り替え可能なフィルタカートリッジにアクセス可能であるように、内蔵型フィルタアセンブリを配置することを含む、請求項１８記載の方法。
【発明の詳細な説明】
【技術分野】
【０００１】
本開示は、主に、水槽で使用される装飾的構造物に関する。特に、本開示は、フィルタアセンブリおよびヒーターを隠すように構成された装飾的構造物に関する。
【０００２】
本願は、２００４年６月１５日に出願された米国特許出願第１０，８６８，７４９号公報に基づき、その優先権がこれにより主張され、下記によって特徴づけられる。
［請求項１］
水槽内の水槽機器を隠す際に使用される装飾的設備であって、
ａ）構造物入口と構造物出口とを含む装飾的構造物であって、構造物入口は、構造物出口から垂直距離および構造物出口から水平距離に位置し、水平距離は垂直距離の少なくとも半分の大きさであり、水槽水が装飾的構造物を通って循環するときに水槽水の対角線循環を形成する装飾的構造物、
を含む装飾的設備。
［請求項２］
構造物入口と構造物出口との間の水平距離および垂直距離によって形成される水槽水の対角線循環は、水槽内の淀んだ水の領域を減少させる、請求項１記載の設備。
［請求項３］
装飾的構造物はキャビティを画定し、キャビティはキャビティ内に配置されたフィルタアセンブリを隠すように構成される、請求項１記載の設備。
［請求項４］
キャビティはキャビティ内に配置されたヒーターを隠すように構成される、請求項３記載の設備。
［請求項５］
構造物入口は、構造物の側壁に形成された複数の開口を含む、請求項１記載の設備。
［請求項６］
構造物出口は、余水路によって画定される、請求項１記載の設備。
［請求項７］
水槽設備であって、
ａ）水槽と、
ｂ）フィルタアセンブリ入口およびフィルタアセンブリ出口を有するフィルタアセンブリと、
ｃ）構造物入口および構造物出口を有し、フィルタアセンブリを隠すように構成される装飾的構造物と、
を含み、
ｄ）フィルタアセンブリは、水の実質的に水平な流れが構造物入口とフィルタアセンブリ入口との間に形成されるように、装飾的構造物の構造物入口に対して配置される水槽設備。
［請求項８］
構造物入口は構造物出口に対して配置され、横から横への流れ成分を有する水槽内に流体流れを提供して、水槽内の淀んだ水の領域を減少させる、請求項７記載の設備。
［請求項９］
フィルタアセンブリに流れ込む水が、フィルタアセンブリ入口に入る直前に加熱されるように、フィルタアセンブリに密接して配置されたヒーターを更に含む、請求項７記載の設備。
［請求項１０］
装飾的構造物がキャビティを画定し、フィルタアセンブリおよびヒーターはキャビティ内に配置される、請求項９記載の設備。
［請求項１１］
装飾的構造物は、水槽の側部の間に画定された距離の少なくとも２５パーセントで延びる、請求項７記載の設備。
［請求項１２］
装飾的構造物が水槽の側部の間に画定された距離の大半で延びる、請求項１１記載の設備。
［請求項１３］
フィルタアセンブリ出口が構造物出口に位置する、請求項７記載の設備。
［請求項１４］
構造物出口は、濾過された水が水槽の水位とほぼ同じ高さの場所で装飾的構造物を出るように、配置される、請求項１３記載の設備。
［請求項１５］
構造物出口は、濾過された水が水槽の水位より上の場所で装飾的構造物を出るように、配置される、請求項１３記載の設備。
［請求項１６］
構造物出口を出る水が、水槽内に含まれる水にリップル効果を形成する、請求項１３記載の設備。
［請求項１７］
構造物入口が構造物の壁に形成された複数の開口を含む、請求項７記載の設備。
［請求項１８］
複数の開口が構造物の側壁内に位置する、請求項１７記載の設備。
［請求項１９］
複数の開口が装飾的構造物に固定されたグリルインサートによって画定される、請求項１７記載の設備。
［請求項２０］
複数の開口とフィルタアセンブリとの間に配置され、開口を通って流れ込む水を濾過の前に加熱するヒーターを更に含む、請求項１７記載の設備。
［請求項２１］
フィルタアセンブリが、水中ポンプおよびフィルタハウジングを含む、請求項７記載の設備。
［請求項２２］
フィルタアセンブリ出口が、フィルタハウジングに形成された余水路によって画定される、請求項２１記載の設備。
［請求項２３］
構造物出口が余水路によって画定される、請求項７記載の設備。
［請求項２４］
ａ）前側部および後側部を有する装飾的構造物と、
ｂ）装飾的構造物の後側部に配置され、フィルタアセンブリ入口およびフィルタアセンブリ出口を有するフィルタアセンブリと、
ｃ）フィルタアセンブリの動作中に、フィルタアセンブリ入口に入る直前に水が加熱されるように、フィルタアセンブリ入口に密接して配置されたヒーターと、
を含む水槽設備。
［請求項２５］
装飾的構造物が、フィルタアセンブリおよびヒーターの各々を隠すように大きさが調整されている、請求項２４記載の設備。
［請求項２６］
装飾的構造物が構造物入口および構造物出口を含み、フィルタアセンブリ出口が構造物出口に位置する、請求項２４記載の設備。
［請求項２７］
構造物入口が構造物に形成された複数の開口を含む、請求項２６記載の設備。
［請求項２８］
構造物入口の複数の開口がグリルピースによって画定される、請求項２７記載の設備。
［請求項２９］
フィルタアセンブリのフィルタアセンブリ入口が、構造物入口から所定の距離に配置されて、構造物入口とフィルタアセンブリ入口との間に水の実質的に水平な流れを形成する、請求項２６記載の設備。
［請求項３０］
構造物入口が、構造物出口に対して配置され、横から横への流れ成分を有する水槽内に流体流れを提供して、水槽内の淀んだ水の領域を減少させる、請求項２９記載の設備。
［請求項３１］
ヒーターが、水平な水の流れ内に配置される、請求項２９記載の設備。
［請求項３２］
フィルタアセンブリ出口が余水路によって画定される、請求項２４記載の設備。
［請求項３３］
水槽内に水槽水を循環する方法であって、
水槽内に配置され、入口および出口を含み、水槽機器を隠すように構成されたキャビティを画定する装飾的構造物を提供するステップと、
装飾的構造物のキャビティ内にポンプを配置するステップと、
ポンプを動作させることによって水槽を通る対角水流経路を形成するステップであって、対角水流経路は、装飾的構造物の入口および出口の相対位置によって形成され、水槽内の淀んだ水の領域を減少させるステップと、
を含む方法。
［請求項３４］
装飾的構造物の入口および出口の間の場所で水を加熱するステップを更に含む、請求項３３記載の方法。
［請求項３５］
加熱された水を濾過するステップを更に含む、請求項３４記載の方法。
［請求項３６］
ヒーターおよびフィルタアセンブリを提供するステップと、構造物入口を通って吸い込まれた水が濾過の直前に加熱されるように、フィルタアセンブリに密接してヒーターを配置するステップと、を更に含む、請求項３４記載の方法。
［請求項３７］
フィルタアセンブリおよびヒーターを隠すために、フィルタアセンブリおよびヒーターを装飾的構造物の後ろに配置するステップを更に含む、請求項３６記載の方法。
［請求項３８］
対角水流の一部が、加熱され濾過された水を構造物出口から水槽の主要容量へ戻すことによって供給される、請求項３３記載の方法。
［請求項３９］
加熱され濾過された水を戻すステップが、加熱され濾過された水を水槽水の表面レベルより上の場所で供給することを含む、請求項３８記載の方法。
［請求項４０］
加熱され濾過された水を戻すステップが、加熱された水を水槽水の表面レベルの場所で供給することを含む、請求項３８記載の方法。
［請求項４１］
加熱され濾過された水を戻すステップが、水槽水の表面レベルでリップル効果を形成することを含む、請求項３８記載の方法。
［請求項４２］
装飾的構造物の出口が、余水路によって画定される、請求項３３記載の方法。
【背景技術】
【０００３】
広く様々な水槽装飾は、水槽の美しさおよび楽しさを高めるのに使用するのに利用可能である。用途によっては、水槽装飾は、水槽付属品、例えば、循環管、エアレーション管、フィルタアセンブリ、ヒーター、または、他の付属品を隠すために用いられる。これらの付属品は一般に、水槽内の水生生物のために健康的な環境を維持するのに関連する。例えば、これらの種類の付属品は、適切な温度調整と、水循環と、水濾過とを維持するのに重要である。水槽装飾が水槽に審美的な価値を加える一方、水槽構成要素を隠すために装飾を使用することは、健康的な水生環境を維持するのに必要な構成要素の効果を妨害する可能性がある。
【発明の開示】
【発明が解決しようとする課題】
【０００４】
一般に、そのような設備および方法に対する改良が求められており、水槽の環境的な品質に関連する構成要素の効果を依然として維持すると同時に、高めさえして、一般に、水槽の審美的な品質を改良する。
【課題を解決するための手段】
【０００５】
本発明は、フィルタアセンブリおよびヒーターを隠すのに使用される装飾的構造物を有する装飾的水槽設備に関する。装飾的構造物は、前側部および後側部を有し、後側部は、その中にフィルタアセンブリおよびヒーターが配置されるキャビティを画定する。装飾的構造物は、入口および出口も含む。設備の１つの特徴は、入口および出口のずれた位置に関連し、水槽内に水槽水の対角線循環を形成する。設備の別の特徴は、フィルタアセンブリに対するヒーターの近位位置に関し、それによって、余水路を経由して、水槽の主要容量の水に、加熱され濾過された水を供給する。
【０００６】
望ましい製品の特徴または方法の様々な例は、ある程度、下記の記載で説明され、そして、ある程度、記載から明らかであり、または、開示の様々な態様を行うことによってわかる場合がある。開示の態様は、個別の特徴および特徴の組み合わせに関する。前述の一般的な記載と下記の詳細な説明は両方とも例示的なものに過ぎず、権利が請求される本発明を制限するものではないことを理解すべきである。
【発明を実施するための最良の形態】
【０００７】
次に、添付の図面に例示される本開示の様々な特徴を詳細に参照する。可能な限り、同一または類似の部品を参照するのに図面全体にわたって同一の参照符号が使用される。
【０００８】
図１〜８は、本開示の原理の水槽装飾設備１０の１つの実施形態を例示する。水槽設備１０は、典型的に、水槽またはタンク２０内に配置される。例示された実施形態において、水槽設備１０は、装飾的構造物１２と、フィルタアセンブリ１４と、ヒーター１６とを含む。
【０００９】
水槽設備１０は、水槽水が設備１０を通って循環するときに、水流の対角線循環（図１参照）が水槽２０内に作られるように、組み立てられ、かつ配置される。従来の設備で形成された水循環は、典型的に、横から横への流れ成分を有する循環とは対照的に、上下の流れ循環を伴う。本設備１０は、水槽内で水の対角線循環を生成するのに十分な横から横への流れ成分を形成し、それによって水槽内の淀んだ水の領域が減少するように設計される。従来の設備において、上下の循環は、そのような循環を水槽の一部または孤立した領域にのみ作る傾向があるため、淀んだ水の領域は一般的な問題である。下記により詳細に説明されるように、本設備によって設けられた対角線循環は、水槽で含まれた水の量の大半に影響を与える。それによって、本設備１０の対角線循環は、淀んだ水の領域の発生を減少させる。
【００１０】
次に、図２および３を参照すると、設備１０の装飾的構造物１２は、前側部または表面２２、および後側部または表面２４を有する。前側部２２は典型的に、水槽の外観を、より自然に、美しく、かつ楽しいものにするように設計された特徴部または構造物１８を含む。図１〜図８の例示された実施形態において、装飾的構造物１２の特徴部は、水中根の形態に設計されている。図９〜図１３および図２０〜図２４に例示された他の実施形態において、特徴部は、水中株の形態に設計されている。図１４〜図１９において、特徴部は、別の水中根システムの形態に設計されている。水槽の外観を高める他の設計は、本開示の範囲内である。例えば、特徴部１８は、珊瑚または他の水中構造物の形態であってもよい。
【００１１】
次に、図１および図４を参照すると、装飾的構造物１２は、第１の端部２６および第２の端部２８を有する。水槽２０内に配置されるときには、好ましくは、構造物１２の第１の端部２６は、水槽２０の底部３０（図１）に載置される。構造物１２を水槽２０の底部３０に載置するように配置することは、構造物１２の第１の端部２６を、水槽の底部表面に、水槽の底部で砂礫層に、水槽の底部に配置されたライナーに、または、水槽の下部または底部領域に位置する他の構造物に、配置することを含む。
【００１２】
構造物１２の第２の端部２８は、好ましくは、構造物１２の第１の端部２６が底部３０に載置されるとき、水槽２０（図１）の水位より上に配置される。一般に、構造物１２は、第１の端部２６から第２の端部２８へ達する高さＨを有する。高さＨは、設備１０が水槽２０内に配置されるとき、フィルタアセンブリ１４およびヒーター１６へ容易にアクセスするように構造物１２の第２の端部２８が水から離れて延在して、大きさが調整される。実施形態によっては、高さＨが水槽２０の完全高さに対応するものもある。
【００１３】
次に、図３および図５を参照すると、装飾的構造物１２の後側部２４は、水槽２０の主要容量３４（図１）とは別個の容量またはキャビティ３２を画定する。構造物１２の第２の端部２８の頂部開口３６は、構造物１２が水槽２０の後壁２１に隣接して配置されるとき、後側部２４によって画定されたキャビティ３２へのアクセスを提供する。例示された実施形態において、キャビティ３２は、後側部２４の湾曲した形状および装飾的構造物１２の第１および第２の側壁４６、４７によって形成される。キャビティ３２は、フィルタアセンブリ１４およびヒーター１６がキャビティ内に配置されるときに、これらを隠すように構成される。好ましくは、フィルタアセンブリ１４およびヒーター１６の両方は、例えば、水槽の外部に装着されるフィルタアセンブリを有する設備ではなく、水槽２０の内部にある。
【００１４】
次に、図５および図６を参照すると、装飾的構造物１２は、水循環入口３８と水循環出口４０とを画定する。入口３８は、水槽２０の主要容量３４から構造物１２の後ろに位置するキャビティ３２への流体連通を提供する。出口４０は、構造物１２のキャビティ３２から水槽２０の主要容量３４への流体連通を提供する。
【００１５】
図２に戻って参照すると、構造物１２の出口４０は一般に、水が装飾的構造物１２を出る場所７２である。言い換えると、出口４０は典型的に、フィルタアセンブリ１４が配置される場所７２によって画定され、特に構造的に画定された出口を必要としない。フィルタアセンブリ１４は一般に、フィルタアセンブリ入口５８を画定する水中ポンプ７８（図７）と、フィルタアセンブリ出口６０（図２）を画定するフィルタハウジング５４と、を含む。例示された実施形態のフィルタアセンブリ出口６０は、余水路６８である。余水路は一般に、例えば、出入口とは対照的に、その上を水が流れる縁、出っ張りまたは表面である。余水路６８が配置される場所７２は、図１〜図８の実施形態における装飾的構造物１２の出口４０を、少なくとも部分的に画定する。
【００１６】
特に構造的に画定された出口は本開示によって必要ないが、例示された実施形態において、出口４０はまた、装飾的構造物１２の頂部縁５２に沿って形成され窪んだリップ５０（図２および３）によっても部分的に画定される。リップ５０は、フィルタアセンブリ１４の余水路６８を収容するように大きさが調整されている。他の実施形態は、フィルタアセンブリ１４の構成に対応する特定の構造物を含んでも含まなくてもよい。更に、水循環出口４０が、例えば、直接水を水槽の主要容量３４内に戻すチャネル、開口、または他の出口構造物を含んでもよいことが企図される。動作中に、水は、リップ５０の場所７２で水槽２０の主要容量３４へ戻る。特に、水は、装飾的構造物１２のリップ５０に配置され、フィルタアセンブリ１４のフィルタハウジング５４に形成された余水路６８を出る。
【００１７】
好ましくは、水が設備１０から水槽２０の主要容量３４へ供給される場所７２は、水槽内の水の表面レベルに位置する。水槽水の表面レベルで構造物１２を出る水は、水の表面にリップル効果を形成する。リップル効果は、水槽水の酸素レベルを高め、健康的な水中環境を維持するのを促進する。あるいは、水が設備から供給される場所７２は、落水効果を形成するために、水槽内の水の表面レベルより上に位置してもよい。同様に、水が、水槽水の表面レベルより下の場所で、設備１０から供給されてもよいことが企図される。
【００１８】
図３および図６に戻って参照すると、構造物１２の入口３８は、装飾的構造物１２の側壁４６、４７の一方に形成された少なくとも１つの開口、好ましくは複数の開口４４を含む。例示された実施形態において、複数の開口４４は、第１の側壁４６に形成されたノッチ６６内に挿入されたグリルピース４２によって画定される。代替の実施形態において、複数の開口４４は、構造物１２の側壁４６、４７の一方内に直接形成されてもよい。開口４４の数およびサイズは、フィルタアセンブリ１４によって生成される特定の流速に対応するように構成される。
【００１９】
図７に戻って参照すると、構造物１２の出口４０は、装飾的構造物１２の第２の端部２８に位置し、一方、入口３８は、構造物の第１の端部２６に隣接して位置する。加えて、出口４０は、構造物１２の側壁の一方（例えば、第２の側壁４７）に隣接して位置し、一方、入口３８は、構造物の対向する側壁（例えば、第１の側壁４６）に位置する。構造物の入口３８と構造物の出口４０との相対位置が、水槽２０内の水流の対角線循環を形成し、これにより、淀んだ水の領域を減少させる。
【００２０】
特に、入口３８および出口４０の相対位置は、入口３８および出口４０の各々が、互いから垂直距離Ｄ１および水平距離Ｄ２に配置されるようにされる。好ましくは、水平距離Ｄ２は、垂直距離Ｄ１の少なくとも半分の大きさである（距離の各々は、構造物の入口および出口の中心線の間に画定される）。構造物の入口および出口３８、４０の相対的な配置は、水槽水の対角線循環を形成する横から横への流れ成分を生成し、水槽内の淀んだ領域を減少させる。１つの実施形態において、１０から３０ガロンの間の範囲の水槽では、水平距離Ｄ２は約５．０から６．０インチの間であり、垂直距離Ｄ１は約６．０から９．０インチの間であるが、開示された原理は、様々なサイズおよび用途に適用することができる。
【００２１】
同様に、フィルタアセンブリ１４は典型的にキャビティ３２内に配置され、そのため、フィルタアセンブリ入口５８は構造物入口３８から距離Ｄ３に配置され、構造物入口３８とフィルタアセンブリ入口５８との間に、水の実質的に水平な流れ（図７において矢印Ａによって表される）を形成する。水の実質的に水平な流れは、水槽水の対角線循環（図１）の横から横への流れ成分（図５）に寄与する流れベクトルを生成し、水槽２０のキャビティ３２および主要容量３４の両方の内の淀んだ領域を減少させる。１つの実施形態において、構造物入口３８とフィルタアセンブリ入口５８との間の距離Ｄ３は、約２．０から３．５インチの間であるが、開示された原理は、様々なサイズおよび用途に適用することができる。
【００２２】
本設備１０によって生成された横から横への流れ成分は、従来の設備よりも、その流れ内により大きな割合の水を捕らえて吸い込み水槽内の循環を形成することによって、淀んだ水を減少させる。先に記載したように、従来の設備は、特定のサイズの水槽内に経路長さを有する上下循環を形成する。上下循環の経路長さは、同一の水槽内に形成された対角線循環の経路長さよりも短い。したがって、横から横への流れ成分を有する対角線循環は、従来の設備に比較して、その流れ内により大きな割合の水を捕らえて吸い込むことによって、水槽内の淀んだ水を減少させる。
【００２３】
更に、開示された設備１０によって形成された対角線循環を増やすために、装飾的構造物１２は、好ましくは、水槽２０のサイズおよび幅Ｗ２に適する幅Ｗ１（図５）を有する。理解されることができるように、幅Ｗ１は、構造的に、装飾的構造物１２の水循環入口３８と水循環出口４０との間の水平距離Ｄ２の境界を画定する。好適な実施形態において、構造物１２の幅Ｗ１は、水槽２０の幅Ｗ２の少なくとも２５％である。
【００２４】
次に、図６および図７を参照すると、構造物入口３８の開口４４およびヒーター１６は、入口３８を通って流れる水が、構造物１２のキャビティ３２内に配置されたヒーター１６と熱的連通するように、配置させている。開口４４は、かなりの大半の水流が、濾過の前にヒーター１６の加熱素子４８を横切って通るように、位置する。例示された実施形態において、開口４４は、加熱素子４８の細長い構造物に対応するほぼ垂直なアレイ状に配置される。動作中において、水は、複数の開口４４を通り引かれ、加熱素子４８を横切り、フィルタアセンブリ入口５８内に吸い込まれる。
【００２５】
例示された実施形態において、ヒーター１６は、フィルタアセンブリ１４に密接して配置され、そのため、フィルタアセンブリ１４に流れ込む水は、フィルタアセンブリ入口５８に入る直前に加熱される。密接することによって、ヒーター１６は、構造物入口３８よりもフィルタアセンブリ入口５８により近くに位置することを意味する。密接して配置されると、加熱された水は、濾過のためにフィルタアセンブリ入口５８に入る。加熱され、かつ濾過された水は、水槽２０の主要容量３４に戻る。
【００２６】
濾過のためにフィルタアセンブリ内に引かれる直前に水の流れを加熱することは、水槽水の温度を効果的に調整する。すなわち、加熱され、濾過された水を水槽２０の主要容量３４に戻し、水槽内に対角線循環を形成することによって、加熱され、濾過された水は、水槽内に良好に分散され、水槽の全体にわたってより均一な温度を提供する。従来の設備において、ヒーターは典型的に、水が伝導によって加熱されるように配置される。伝導的に加熱された水は、水槽水の主要容量の一般循環によってのみ循環される。従来の設備の加熱された水は、タンクの主要容量内に分散されず、かつ淀んだ領域を減少させる対角線循環内に加熱された水を吸い込むことにより分散されないため、精確さに欠ける温度調整および／または温度が変動する水ポケットの問題がしばしば発生する。
【００２７】
図４に見ることができるように、装飾的構造物１２は、水槽２０の外観を高めるために、フィルタアセンブリ１４およびヒーター１６を隠す。視界から隠されると同時に、フィルタアセンブリ１４およびヒーター１６は、構造の高さＨの構成のため、依然として容易にアクセス可能である。例えば、図２に示されるように、フィルタアセンブリ１４は、構造物１２の第２の端部２８で開口３６からアクセス可能である。自分の手を水槽水に浸すことなく、フィルタアセンブリ１４を取り除き、交換し、および／または、メンテナンスすることできる。同様に、ヒーター１６は、構造物１２の第２の端部２８で開口３６からアクセス可能である。自分の手を水に浸すことなく、ヒーター１６を調節することができる。
【００２８】
例示された実施形態において、フィルタアセンブリ１４は、典型的に、ブラケット（図示せず）によって水槽２０の縁６４に装着される。設備１０の構造物１２は、フィルタアセンブリ１４が水槽２０の縁６４に装着されるとき、フィルタアセンブリ出口６０が水循環出口４０に、または隣接して位置するように、大きさが調整されることが好ましい。ヒーター１６は、フィルタアセンブリ１４に、構造物１２に、水槽縁６４に、装着されてもよく、または、図２、図３、および図５に例示された実施態様に示されるように、仕切壁７４に装着されてもよい。
【００２９】
例示された実施形態の仕切壁７４は、開口７６（図７）を含み、それを通って加熱された水が流れ、フィルタアセンブリ入口５８に入る。仕切壁７４は、ヒーター１６に熱的連通している水のみがフィルタアセンブリ１４に入るように、水の流れを方向づける。図７に示される水の水平流れを形成するのを促進するために、仕切壁の開口７６は、構造物１２の入口３８およびフィルタアセンブリ１４のフィルタアセンブリ入口５８から（例えば、ほぼ水平な並びで）横切って位置する。
【００３０】
次に、図３および図８を参照すると、設備１０は、エアレーション装置８０を更に含むことができる。例示された設備１０において、エアレーション装置８０は、送気管８４に相互接続されたエアストーン８２を含む。送気管８４は、構造物のキャビティ３２内に延び、構造物１２の底部９０に形成された開口８６を通る。次いで、送気管は、構造物１２の前側部２２へ延びたチャネルまたはスロット８８を経由する。エアストーン８２は多孔性であり、送気管８４からの空気をエアストーン８２から泡立たせる。図１〜図８の例示された実施形態において、エアストーン８２は、装飾的構造物１２の前側部２２に配置される。エアレーション装置８０の動作中に、空気は構造物１２の前側部２２を泡立たせ、水槽水に酸素を供給する間に、水槽設備１０の審美的魅力に更なる興味を加える。
【００３１】
使用にあたり、水槽設備１０は、水槽の全体にわたって水を効果的に循環する流体の流れを形成し、構造物１２のキャビティ３２および水槽２０の主要容量３４の両方の内のデッドスポットまたは淀んだ水の領域を減少させる。従来の設備において、水は簡単な背景ライナーの後ろで捕らえられることができるか、または、水槽の離れた領域で淀む可能性がある。開示された設備１０において、フィルタアセンブリ１４は、主要容量３４から水を吸い込み、構造物１２の水循環入口３８を通り、ヒーター１６の加熱素子４８を横切って、フィルタアセンブリ１４内に入るように配置される。次いで、加熱され、濾過された水は、構造物の水循環出口４０から方向づけられ、水槽２０の水表面を横切って分散される。開示された設備１０によって形成された対角線循環は、水槽の淀んだ水の領域を減少させるだけではなく、フィルタアセンブリ１４およびヒーター１６の効果を高めさえする。
【００３２】
次に、図９〜図１３を参照すると、水槽装飾設備１００の第２の実施形態が例示される。この実施形態において、水槽設備１００もまた、装飾的構造物１１２と、フィルタアセンブリ１１４と、ヒーター１１６と、を含む。
【００３３】
先の実施形態と同様に、水槽設備１００は、水槽水が設備１００を通って循環するとき、水流の対角線循環が水槽２０内に形成されるように、組み立てられ、かつ配置される。同様に、水槽設備１００の構造的特徴の多くは、先の実施形態のものに類似している。
【００３４】
例えば、図９および図１０を参照すると、装飾的構造物１１２は、前側部１２２と後側部１２４、および、第１の端部１２６と、第２の端部１２８とを有する。水槽２０内に配置されると、構造物１１２の第１の端部１２６は、水槽２０の底部３０（図１）に載置される。装飾的構造物１１２の後側部１２４は、水槽２０の主要容量３４（図１）とは別個の容量またはキャビティ１３２を画定する。構造物１１２の第２の端部１２８の頂部開口１３６は、構造物１１２が水槽２０の後壁２１に隣接して配置されるとき、構造物１１２の後側部１２４によって画定されたキャビティ１３２へのアクセスを提供する。キャビティ１３２は、フィルタアセンブリ１１４およびヒーター１１６がキャビティ内に配置されたときに、これらを隠すように構成される。
【００３５】
次に、図１０〜図１２を参照すると、装飾的構造物１１２は、水循環入口１３８と水循環出口１４０とを画定する。入口１３８は、水槽２０の主要容量３４から構造物１２１の後ろに位置するキャビティ１３２への流体連通を提供する。出口１４０は、構造物１１２のキャビティ１３２から水槽２０の主要容量３４への流体連通を提供する。
【００３６】
構造物１１２の入口１３８は、装飾的構造物１２の第１の側壁１４６および第２の側壁１４７の一方に形成された少なくとも１つの開口、好ましくは複数の開口１４４を含む。第２の実施形態において、複数の開口１４４は、第１の側壁１４６に形成されたノッチ１６６（図１０）内に挿入されたグリルピース１４２によって画定される。
【００３７】
図１１を参照すると、構造物１１２の出口１４０は、装飾的構造物１１２の第２の端部１２８に位置し、一方、入口１３８は、構造物の第１の端部１２６に隣接して位置する。加えて、出口１４０は、構造物１１２の側壁の一方（例えば、第２の側壁１４７）に隣接して位置し、一方、入口１３８は、構造物の対向する側壁（例えば、第１の側壁１４６）に位置する。
【００３８】
構造物入口１３８と構造物出口１４０との相対位置は、水槽水の対角線循環を形成する横から横への流れ成分を生成し、水槽２０内の淀んだ領域を減少させる。加えて、フィルタアセンブリ１１４は典型的にキャビティ１３２内に配置され、そのため、フィルタアセンブリ入口１５８（図１２）は、先に記載したように、構造物入口１３８から所定の距離に配置され、構造物入口１３８とフィルタアセンブリ入口１５８との間に、実質的に水平な水の流れを形成する。
【００３９】
引き続き図１２を参照すると、ヒーター１１６は、フィルタアセンブリ１１４に密接して配置され、そのため、フィルタアセンブリ１１４に流れ込む水は、フィルタアセンブリ入口１５８に入る直前に加熱される。濾過のためにフィルタアセンブリ１１４内に吸い込まれる直前に水の流れを加熱することは、水槽水の温度を効果的に調整する。
【００４０】
次に、図１３を参照すると、設備１００は、エアレーション装置１８０を更に含む。例示された設備１００において、エアレーション装置１８０は、送気管１８４に相互接続されたエアストーン１８２を含む。送気管１８４は、構造物１１２のキャビティ１３２（図１２）内に延び、構造物１１２の底部１９０に形成された開口１８６を通る。次いで、送気管は、構造物１２の底部１９０に形成された二次チャンバ１９２へ延びるチャネルまたはスロット１８８を経由する。複数の穴１９４は、側壁の一方（例えば、第１の側壁１４６）に隣接して形成される。エアストーン８２は多孔性であり、送気管８４からの空気をエアストーン８２から穴１９４を通って泡立たせる。
【００４１】
次に、図１４〜図１９を参照すると、水槽装飾設備２００の第３の実施形態が例示される。この実施形態において、水槽設備２００もまた、装飾的構造物２１２と、フィルタアセンブリ２１４と、ヒーター２１６と、を含む。
【００４２】
先の実施形態と同様に、水槽設備２００は、水槽水が設備２００を通って循環するとき、水流の対角線循環が水槽２０内に形成されるように、組み立てられ、かつ配置される。同様に、水槽設備２００の構造的特徴のいくつかは、先の実施形態のものに類似する。
【００４３】
例えば、次に、図１４および図１５を参照すると、設備２００の装飾的構造物２１２は、前側部２２２と、後側部２２４と、第１の端部２２６と、第２の端２２８とを有する。水槽２０内に配置されると、構造物２１２の第１の端部２２６は、水槽２０の底部３０（図１）に載置される。装飾的構造物２１２の後側部２２４は、水槽２０の主要容量３４（図１）とは別個の容量またはキャビティ２３２を画定する。構造物２１２の第２の端部２２８の頂部開口２３６は、構造物２１２が水槽２０の後壁２１（図１）に隣接して配置されるときに、後側部２２４によって画定されたキャビティ２３２へのアクセスを提供する。キャビティ２３２は、フィルタアセンブリ２１４およびヒーター２１６がキャビティ内に配置されたときに、これらを隠すように構成される。
【００４４】
引き続き図１４および図１５を参照すると、装飾的構造物２１２は、水循環入口２３８と水循環出口２４０とを画定する。入口２３８は、水槽２０の主要容量３４から構造物２１２の後ろに位置するキャビティ２３２への流体連通を提供する。出口２４０は、構造物２１２のキャビティ２３２から水槽２０の主要容量３４への流体連通を提供する。構造物２１２の出口２４０は一般に、水が装飾的構造物２１２を出る場所２７２である。
【００４５】
フィルタアセンブリ２１４は、フィルタアセンブリ入口２５８（図１８）を画定する水中ポンプ２７８（図１５）と、フィルタアセンブリ出口２６０（図１７）を画定するフィルタハウジング２５４と、を含む。例示された実施形態のフィルタアセンブリ出口２６０は、余水路２６８である。余水路２６８が配置される場所２７２は、装飾的構造物２１２の出口２４０を画定する。
【００４６】
次に、図１４および図１８を参照すると、構造物２１２の入口２３８は、装飾的構造物２１２の底部縁２２７に沿って形成された少なくとも１つの開口、好ましくは複数の開口２４４を含む。構造物２１２の出口２４０は、装飾的構造物２１２の第２の端部２２８に位置し、一方、入口２３８は、構造物の第１の端部２２６に隣接して位置する。加えて、出口２４０は、装飾的構造物２１２の中心線Ｃ−Ｃの一方の側に位置し、一方、入口２３８は、構造物の中心線Ｃ−Ｃの他方の側に位置する。構造物入口２３８と構造物出口２４０との相対位置は、水槽２０内の水流の対角線循環を形成し、淀んだ水の領域の発生を減少させる。
【００４７】
特に、入口２３８および出口２４０の相対位置は、入口２３８および出口２４０の各々が、互いから垂直距離Ｄ１’および水平距離Ｄ２’に配置されるようにされる。好ましくは、水平距離Ｄ２’は、垂直距離Ｄ１’の少なくとも半分の大きさである（距離の各々は、構造物の入口および出口の中心線の間に画定される）。構造物の入口および出口２３８、２４０の相対位置は、水槽水の対角線循環を形成する横から横への流れ成分を生成し、水槽内の淀んだ領域を減少させる。
【００４８】
先の実施形態と同様に、装飾的構造物２１２は、水槽２０の幅Ｗ２（図１）の少なくとも２５％である幅Ｗ１’（図１９）を有する。例示された実施形態において、構造物２１２の幅Ｗ１’は、水槽２０の幅Ｗ２の大半にわたるように設計され、更に、水槽のサイズに依存して、水槽２０の幅Ｗ２全体にわたってもよい。
【００４９】
図１８に戻って参照すると、ヒーター２１６は、フィルタアセンブリ２１４に密接して配置され、そのため、フィルタアセンブリ２１４に流れ込む水は、フィルタアセンブリ入口２５８に入る直前に加熱される。動作中において、水は、複数の開口２４４を通り、吸い込まれる、ヒーター２１６の加熱素子２４８を横切り、フィルタアセンブリ入口２５８内に吸い込まれる。
【００５０】
図１６に見られるように、装飾的構造物２１２は、水槽２０の外観を高めるために、フィルタアセンブリ２１４およびヒーター２１６を隠す。視界から隠されるとともに、フィルタアセンブリ２１４およびヒーター２１６は、先に記載したように、依然として容易にアクセス可能である。
【００５１】
先の実施形態と同様に、フィルタアセンブリ２１４は、典型的に、ブラケット（図示せず）によって水槽２０の縁６４に装着される。設備１０の構造物２１２は、フィルタアセンブリ２１４が水槽２０の縁６４に装着されるときに、フィルタアセンブリ出口２６０が水循環出口２４０に位置するかまたは隣接するように、大きさが調整されることが好ましい。ヒーター２１６は、図１８に例示されるように、フィルタアセンブリ２１４に、構造物２１２に、水槽縁６４に、または、仕切壁２７４に装着されてもよい。
【００５２】
次に、図１６および図１９を参照すると、設備２００は、エアレーション装置２８０を更に含むことができる。例示された設備２００において、エアレーション装置２８０は、送気管２８４に相互接続されたエアストーン２８２を含む。送気管２８４は、構造物のキャビティ２３２内に延び、装飾的構造物２１２の底部縁に形成された開口２８７を通る。エアストーン２８２は多孔性であり、送気管２８４からの空気をエアストーン２８２から泡立つことを可能にする。図１４〜図１９の例示された実施形態において、エアストーン２８２は、装飾的構造物２１２の前側部２２２に配置される。エアレーション装置２８０の動作中に、空気は構造物２１２の前側部２２２を泡立たせ、水槽水に酸素を供給する間に、水槽設備２００の審美的魅力に更なる興味を加える。
【００５３】
次に、図２０〜図２４を参照すると、水槽装飾設備３００の第４の実施形態が例示される。この実施形態において、水槽設備３００もまた、装飾的構造物３１２と、フィルタアセンブリ３１４と、ヒーター３１６と、を含む。
【００５４】
図２０および図２１を参照すると、設備３００の装飾的構造物３１２は、前側部または表面３２２および後側部または表面３２４を有する。前側部３２２は典型的に、水槽の外観をより自然に美しく楽しいものにするように設計された特徴部または構造物３１８を含む。装飾的構造物３１２は、第１の端部３２６（図２１）および第２の端部３２８を有する。水槽２０（図１）内に配置されると、構造物３１２の第１の端部３２６は、水槽２０の底部３０（図１）に載置されることが好ましい。構造物３１２の第２の端部３２８は、構造物３１２の第１の端部３２６が底部３０に載置されるときに、水槽２０（図１）の水位より上に位置することが好ましい。
【００５５】
使用において、本開示の水槽装飾設備３００は、自立型または自己安定型である。すなわち、設備３００は、ブラケットまたはタイ等の追加固定装置を必要とせずに、水槽の底部３０に載置される。フィルタアセンブリ３１４およびヒーター３１６の各々は、設備３００の装飾的構造物３１２に装着するかまたは固定される。したがって、これらの隠された構成要素用にも追加固定装置は必要ではない。この特徴は、ユーザに、この設備を水槽内に配置し配置する際により大きな柔軟性を与え、そのため様々な水生光景または環境を形成することができる。
【００５６】
図２１の例示された実施形態において、バックパネル３２５が装飾的構造物３１２の後側部３２４に位置する。バックパネル３２５は、装飾的構造物３１２の対向する第１および第２の側壁３４６、３４７の間に延びる。装飾的構造物３１２の後側部３２４およびバックパネル３２５は、水槽２０の主要容量３４（図１）とは別個の容量またはキャビティ３３２を画定する。先の実施形態において、水槽２０の後壁２１は、本質的にバックパネルとして機能し、キャビティを画定した。しかし、この実施形態において、バックパネル３２５は、取り囲まれたキャビティが所望される用途に使用される設備３００の構成要素として設けられる。例えば、いくつかの水槽設定において、ユーザは、後壁２１と同一平面に設備を配置するのとは対照的に、水槽２０の後壁２１に対して傾斜させて水槽装飾設備を配置するように望むこともある。図２１〜図２４の実施形態のキャビティ３３２は取り囲まれているため、設備３００は、水槽２０の後壁２１に対して傾斜させることができ、それによって、水槽光景を配置するかまたは設計するのに、より大きな柔軟性を与える。
【００５７】
引き続き図２１を参照すると、構造物３１２の第２の端部３２８の頂部開口３３６は、キャビティ３３２へのアクセスを提供する。先の実施形態と同様に、キャビティ３３２は、フィルタアセンブリ３１４およびヒーター３１６がキャビティ内に配置されたときに、これらを隠すように構成され、一方、引き続き、その中に位置する構成要素に容易なアクセスを提供する。
【００５８】
次に、図２４を参照すると、装飾的構造物１２は、水循環入口３３８と水循環出口３４０とを画定する。入口３３８は、水槽２０の主要容量３４から構造物３１２のキャビティ３３２への流体連通を提供する。出口３４０は、構造物３１２のキャビティ３３２から水槽２０の主要容量３４への流体連通を提供する。構造物３１２の出口３４０は一般に、水が装飾的構造物３１２を出る場所３７２（図２３）である。言い換えると、出口３４０は典型的に、フィルタアセンブリ３１４が配置される場所３７２によって画定され、特に構造的に画定された出口を必要としない。
【００５９】
現在開示されている例示された実施形態の各々において、単数または複数の水循環入口および水循環出口は、水が他のいずれの水流方向に対向しない方向でキャビティ内に流れるように、互いからずれている。この特徴は、構造物のキャビティ（例えば、３２、１３２、２３２、３３２）内に、および、水槽２０の主要容量３４内に、対角線循環を形成する。言い換えると、出口（例えば、４０、１４０、２４０、３４０）は、全体的な対角線流れパターンが入口から出口へ形成されるように、すべての入口構造物（例えば、３８、１３８、２３８、３３８）からの場所でずれている。対照的に、従来の設備の出口は典型的に、水が全方向から設備に入り、かつ対向する方向から出口へ向けて流れるように、多数の入口または開口の間のおよびその上に位置する。この水流の対向する水平流れベクトルは本質的に互いを打ち消し、そのため、そのような設備によって形成された水槽流れパターン全体は、上下流れパターンである。
【００６０】
図２２は、装飾設備３００の水流パターン（矢印ＢおよびＣによって表される）を示す。図示する通り、構造物３１２のキャビティ３３２に入るすべての水は、他のいずれの水流によって対向しない方向に流れる。先に記載したように、水流の対向しない横から横への流れ成分（矢印Ｂによって示され、矢印Ｃの水平ベクトルによって与えられる）は、水槽内に対角線循環を形成する。対角線循環は、従来の設備に比較して、その流れ内に、より大きな割合の水を捕らえ吸い込み、水槽内の淀んだ水の領域を減少させる。
【００６１】
図２４に戻って参照すると、構造物３１２の入口３３８は、装飾的構造物３１２に形成された少なくとも１つの開口、好ましくは複数の開口３４４を含む。例示された実施形態において、複数の開口３４４は、第１の側壁３４６に形成されたノッチ３６６（図２０および図２１）内に挿入されたグリルピース３４２によって画定される。入口３３８を画定するノッチ３６６および構造物３１２の出口３４０は、図７（例えば、Ｄ１およびＤ２）に関連して説明されるように、互いに対して寸法的に位置し、図１および５に示されるように、水槽２０内に水流の対角線循環を形成する。
【００６２】
図２２を再度参照すると、フィルタアセンブリ３１４は一般に、水中ポンプ３７８とフィルタハウジング３５４とを含む。水中ポンプ３７８はフィルタアセンブリ入口を画定し、フィルタハウジング３５４はフィルタアセンブリ出口３６０（図２３）を画定する。図２３に示されるように、例示された実施形態のフィルタアセンブリ出口３６０は、余水路３６８である。
【００６３】
余水路３６８が配置される場所３７２は、少なくとも部分的に、装飾的構造物３１２の出口３４０を画定する。出口３４０はまた、装飾的構造物３１２の頂部縁３５２に沿って形成され窪んだリップ３５０（図２０）によっても部分的に画定されるが、特に構造的に画定された出口は本開示によって必要ない。リップ３５０は、フィルタアセンブリ３１４の余水路３６８を収容するように大きさが調整されている。代替の実施形態において、構造物３１２の窪んだリップ３５０は、それ自体が、水槽内に水を戻し供給する余水路を画定してもよく、一方、フィルタアセンブリ３１４は、単に、濾過された水の流れを構造物３１２の余水路に方向づけてもよい。
【００６４】
図２０〜図２４の例示された実施形態において、窪んだリップ３５０は、更なるブラケットを使用することなくフィルタアセンブリ３１４全体を支持するように大きさが調整され、かつ構成される。特に、フィルタアセンブリ３１４の余水路３６８は、単に、構造物３１２の窪んだリップ３５０に載置されるかまたはその中に捕らえられ、一方、残っているフィルタハウジング３５４およびポンプ３７８は、キャビティ３３２内に下方に依存する。この装着設備は、フィルタアセンブリ３１４のメンテナンスを簡略化し、それによって、ユーザは、フィルタアセンブリ３１４を窪んだリップ３５０から外すか、またはフィルタアセンブリ３１４を窪んだリップ３５０に取り付けなければならず、フィルタアセンブリ３１４を構造物３１２から取り外すか、またはフィルタアセンブリを構造物３１２に取り付ける。
【００６５】
言い換えると、フィルタアセンブリ３１４は、メンテナンスまたは他の目的のために構造物のキャビティ３３２から取り外すことができる差し込み型または内蔵型のフィルタアセンブリである。内蔵型にすることによって、フィルタアセンブリ全体、すなわち、フィルタハウジングに配置可能な水中ポンプ３７８、フィルタハウジング３５４およびフィルタカートリッジ３３３が、構造物３１２とは別個の交換可能なユニットの一部である。本装着設備もまた、フィルタアセンブリ３１４のメンテナンスを簡略化し、それによって、ユーザは、水槽水に手を入れることなく、構造物３１２の頂部開口３２６を通って、周期的なメンテナンスのために、フィルタアセンブリのフィルタカートリッジ３３３（図２０）に容易にアクセスすることができる。
【００６６】
代替の実施形態において、フィルタアセンブリ３１４は単に、フィルタアセンブリ３１４の余水路３６８が構造物３１２のほぼ窪んだリップ３５０内に位置するように、キャビティフロア３３１（図２２）に載置されてもよい。更に別の代替の実施形態において、フィルタアセンブリ３１４は、設備３００のバックパネル３２５に装着されてもよい。
【００６７】
引き続き図２２を参照すると、フィルタアセンブリ３１４はキャビティ３３２内に配置され、フィルタアセンブリ３１４と構造物入口３３８との間の距離Ｄ４を最大にする。１つの実施形態において、水中ポンプ３７８に形成されたフィルタアセンブリ入口の中心線と構造物入口３３８との間の距離Ｄ４は、約３．５から５．５インチの間であるが、開示された原理は、様々なサイズおよび用途に適用されることができる。フィルタアセンブリ３１４と構造物入口３３８との間の距離を最大にすることは、水流の速度を上げ、横から横への流れ成分のモーメントと、水槽内の対角線循環（図１）とに寄与する。
【００６８】
次に、図２２および図２４を参照すると、構造物入口３３８の開口３４４およびヒーター３１６は、入口３３８を通って流れる水がヒーター３１６と熱的連通するように、配置される。特に、開口３４４は、水流の大半が、濾過の前にヒーター３１６の加熱素子３４８を横切って通過するように、位置する。例示された実施形態において、開口３４４は、ヒーター素子３４８の細長い構造に対応する略垂直なアレイに配置される。動作中において、水は、複数の開口３４４を通り、加熱素子３４８を横切り、フィルタアセンブリ３１４内に吸い込まれる。
【００６９】
図２２に示されるように、ヒーター３１６の加熱素子３４８は、フィルタアセンブリ３１４のポンプ３７８の近位に配置され、そのため、フィルタアセンブリ１４に流れ込む水は、フィルタアセンブリ入口に入る前に加熱される。すなわち、ヒーター３１６は、流れ経路内に、キャビティ３３２内に、構造物３１２の入口３３８と出口３４０との間に、配置される。好ましくは、加熱素子３４８は、約５．０インチを超えない距離Ｄ５、より好ましくは、ポンプ３７８のフィルタアセンブリ入口の中心線から約４．０インチを超えない距離に配置する。ヒーター３１６およびフィルタアセンブリ３１４を近位相対場所に配置することによって、加熱され、濾過された水が、動作中に水槽２０の主要容量３４へ戻る。加熱され、濾過された水を水槽へ戻し、水槽内に対角線循環を形成することによって、加熱され、濾過された水は、水槽内に良好に分散され、水槽全体にわたってより均一な温度を提供する。
【００７０】
例示された実施形態において、ヒーター３１６は、構造物３１２のキャビティ３３２内に位置するブラケット３２７に装着される。ブラケット３２７は、構造物３１２の第１の側壁３４６の内側部３２９に固定される。好ましくは、ブラケットはヒーター３１６を、ヒーターの制御機器がキャビティ３３２の頂部開口３３６を通って容易にアクセスすることができるように、配置され、一方、加熱素子３４８は、先に記載したように、構造物入口３３８とポンプ３７８のフィルタアセンブリ入口との間に位置する。
図２１に戻って参照すると、設備３００は、エアレーション装置３８０を更に含むことができる。例示された実施形態において、エアレーション装置３８０は、送気管３８４に相互接続されたエアストーン３８２を含む。送気管３８４は、構造物のキャビティ３３２内に延び、構造物３１２の第１の端部３２６に隣接して形成された開口３８６を通る。エアストーン３８２は多孔性であり、送気管３８４からの空気をエアストーン３８２から泡立たせる。エアレーション装置３８０の動作中に、空気は構造物３１２の前側部３２２を泡立たせ、水槽水に酸素を供給する間に、水槽設備３００の審美的魅力に更なる興味を加える。
上記明細書は、本発明の完全な説明を提供する。本発明の多くの実施形態は、本発明の精神および範囲から逸脱することなく作ることができるため、本発明の一定の態様は、後に添付する特許請求の範囲に属する。
【図面の簡単な説明】
【００７１】
【図１】本開示の原理の水槽の中に位置して示された水槽装飾設備の１つの実施形態の正面斜視図である。
【図２】図１の水槽設備の正面斜視図である。
【図３】図２の水槽設備の背面斜視図である。
【図４】図２の水槽設備の正立面図である。
【図５】図２の水槽設備の上部平面図である。
【図６】図２の水槽設備の側立面図である。
【図７】図２の水槽設備の背立面図である。
【図８】図２の水槽設備の底部平面図である。
【図９】本開示の原理の水槽装飾設備の別の実施形態の正面斜視図である。
【図１０】図９の水槽設備の背面斜視図である。
【図１１】図９の水槽設備の正立面図である。
【図１２】図９の水槽設備の背立面図である。
【図１３】図９の水槽設備の底部平面図である。
【図１４】本開示の原理の水槽装飾設備の更に別の実施形態の正面斜視図である。
【図１５】図１４の水槽設備の背面斜視図である。
【図１６】図１４の水槽設備の正立面図である。
【図１７】図１４の水槽設備の上部平面図である。
【図１８】図１４の水槽設備の背立面図である。
【図１９】図１４の水槽設備の底部平面図である。
【図２０】本開示の原理による水槽装飾設備の更なる別の実施形態の正面斜視図である。
【図２１】図２０の水槽設備の背面斜視図であり、設備のバックパネルを示す。
【図２２】図２１の水槽設備の背立面図であり、バックパネルは取り除かれて示されている。
【図２３】図２０の水槽設備の正立面図である。
【図２４】図２０の水槽設備の側立面図である。
【図１】
2006000114.tif 000003
【図２】
2006000114.tif 000004
【図３】
2006000114.tif 000005
【図４】
2006000114.tif 000006
【図５】
2006000114.tif 000007
【図６】
2006000114.tif 000008
【図７】
2006000114.tif 000009
【図８】
2006000114.tif 000010
【図９】
2006000114.tif 000011
【図１０】
2006000114.tif 000012
【図１１】
2006000114.tif 000013
【図１２】
2006000114.tif 000014
【図１３】
2006000114.tif 000015
【図１４】
2006000114.tif 000016
【図１５】
2006000114.tif 000017
【図１６】
2006000114.tif 000018
【図１７】
2006000114.tif 000019
【図１８】
2006000114.tif 000020
【図１９】
2006000114.tif 000021
【図２０】
2006000114.tif 000022
【図２１】
2006000114.tif 000023
【図２２】
2006000114.tif 000024
【図２３】
2006000114.tif 000025
【図２４】
2006000114.tif 000026
【外国語明細書】
1. Title of the Invention
Aquarium Arrangement
2. Detailed Description of the Invention
2006000114.tif 000027
2006000114.tif 000028
2006000114.tif 000029
2006000114.tif 000030
2006000114.tif 000031
2006000114.tif 000032
2006000114.tif 000033
2006000114.tif 000034
2006000114.tif 000035
2006000114.tif 000036
2006000114.tif 000037
2006000114.tif 000038
2006000114.tif 000039
2006000114.tif 000040
2006000114.tif 000041
2006000114.tif 000042
2006000114.tif 000043
2006000114.tif 000044
2006000114.tif 000045
2006000114.tif 000046
2006000114.tif 000047
2006000114.tif 000048
2006000114.tif 000049
2006000114.tif 000050
2006000114.tif 000051
3. Brief Description of Drawings
2006000114.tif 000052
1. Claims
2006000114.tif 000053
2006000114.tif 000054
2006000114.tif 000055
1. Abstract
2006000114.tif 000056
2. Representative Drawing
None
Fig. 1
2006000114.tif 000057
Fig. 2
2006000114.tif 000058
Fig. 3
2006000114.tif 000059
Fig. 4
2006000114.tif 000060
Fig. 5
2006000114.tif 000061
Fig. 6
2006000114.tif 000062
Fig. 7
2006000114.tif 000063
Fig. 8
2006000114.tif 000064
Fig. 9
2006000114.tif 000065
Fig. 10
2006000114.tif 000066
Fig. 11
2006000114.tif 000067
Fig. 12
2006000114.tif 000068
Fig. 13
2006000114.tif 000069
Fig. 14
2006000114.tif 000070
Fig. 15
2006000114.tif 000071
Fig. 16
2006000114.tif 000072
Fig. 17
2006000114.tif 000073
Fig. 18
2006000114.tif 000074
Fig. 19
2006000114.tif 000075
Fig. 20
2006000114.tif 000076
Fig. 21
2006000114.tif 000077
Fig. 22
2006000114.tif 000078
Fig. 23
2006000114.tif 000079
Fig. 24
2006000114.tif 000080